(57)【要約】【課題】  針先のキャップを外したままの状態で翼状針を簡単に且つ容易に取り外し可能に片手で保持させて、管状針により患者を含めて医師や看護士が汚染される心配をしないで作業をすることができる翼状針の保持具を提供する。【解決手段】  点滴台７の支柱７１へ止着するための止着部２に、翼状針６の羽根部分６５を起てた状態でその両側面を挟持する一対の弾性挟持片３１，３１とその下側に配置された羽根６５部分の外周端を支持するための支持部片４とからなる翼状針の保持部３が横方向に突設されており、且つ、保持部３が止着部２の軸線に対して所定の角度を有して配置されている。【選択図】      図５
0003120181.tif 000002
【実用新案登録請求の範囲】
【請求項１】
点滴台の支柱へ止着するための止着部に、先端に管状針が突設されているとともに基端部に設けた供給チューブが連結される軸体に一対の羽根が蝶のように拡設された翼状針の前記一方の羽根部分を起てた状態でその両側面を挟持する一対の弾性挟持片とその下側に配置された前記羽根部分の外周端を支持するための支持部片とからなる翼状針の保持部が横方向に突設されており、且つ前記保持部が前記止着部の軸線に対して所定の角度を有して配置されていることを特徴とする翼状針の保持具。
【請求項２】
前記止着部と保持部とが適宜の弾性と剛性を有する硬質合成樹脂により一体的に形成されている請求項１に記載の翼状針の保持具。
【請求項３】
前記保持部を形成する弾性挟持片とその下側に配置された支持部片との間に所定の空間が形成されており、この空間に前記翼状針の先端に配置される管状針のキャップを挟持可能な請求項１または２記載の翼状針の保持具。
【考案の詳細な説明】
【技術分野】
【０００１】
本考案は、輸液や輸血或いは採血の際などに用いられる翼状針の保持具に関するものである。
【背景技術】
【０００２】
従来、輸液や輸血或いは採血の際などに図７に示すような翼状針６が用いられている。この翼状針６は、先端に管状針６１が突設されているとともに基端部６２に一端を点滴容器など（図示せず）に接続したチューブ６３が連結された軸体６４に例えば塩化ビニル樹脂などの薄板により形成された一対の羽根６５，６５が蝶のように拡設された構成を有し、血管に差し込む際に、左右の羽根６５，６５を摘んで操作することによりきわめて安定した状態で血管への差し込みを可能にするとともに、差し込んだ後は左右の羽根６５，６５を拡げて例えば絆創膏や粘着テープ等で身体に固定することにより長時間にわたって安定した状態で薬液や血液を注入することができるなどの利点を有している。
【０００３】
そして、前記翼状針６も普通に用いられる注射針と同じくキャップ６６を嵌めた状態で流通することにより使用時まで滅菌状態が保持されている。従って、使用時にキャップ６６を外してそのまま、患者の身体に差し込めばよい。
【０００４】
ところが、輸液や輸血或いは採血などを行うには管状針６１の針先を確実に血管などの身体の限られた部位に差し込む必要があり、差し込みに熟練を要したり、患者によっては差し込み部位が確認しにくい場合があり、差し込み操作を複数回にわたって繰り返すことで所定の位置に針を差し込んでいるのが一般的である。
【０００５】
このとき、医師や看護士は一旦患者の身体から翼状針を抜き取った後に、次に差し込む迄の間に抜き取った患部の止血や再滅菌、消毒作業をする必要があるが、抜き取った翼状針を片手に持ったままだとこれらの作業を行うことが困難であり、両手で作業するためには抜き取った翼状針を離すことになるが、一旦身体に差し込んだ翼状針の針先には患者の血液や体液等が付着しており、感染症のおそれがあることからそのまま手を離して放置することができない。
【０００６】
そこで、再度、キャップを被冠させてから手を離し、両手で止血や清浄作業が終わった後で、再びキャップを外して差し込み操作を繰り返すことが行われているが、全ての作業が終わるまでキャップを清潔な状態で保管しておく必要があるとともに、差し込み作業中に尖った針先を口の狭いキャップに差し込むことはきわめて困難で患者の血液や体液等が付着した針先で指先を刺すことにもなり、きわめて危険である。また、床などに放置した翼状針が汚染されたり踏まれたりして破損するなどの心配もあり、床面から拾い上げる手間も掛かる。
【０００７】
また、翼状針についてキャップを被せる際などに誤って指などに刺してしまう事故を防止するものが特開平１−７６８７３号公報、特開平８−８９５７３号公報、特開２０００−１４７８１号公報などに提示されているが、これらはいずれも使用後の処理を念頭にしたものであり、翼状針を再使用する場合に採用することはできない。
【特許文献１】特開平１−７６８７３号公報
【特許文献２】特開平８−８９５７３号公報
【特許文献３】特開２０００−１４７８１号公報
【考案の開示】
【考案が解決しようとする課題】
【０００８】
本考案は上記実情に鑑みてなされたものであり、輸液や輸血或いは採血などを行う際に、翼状針の先端に設けられている針先のキャップを外したままの状態で翼状針を簡単に且つ容易に取り外し可能に片手で保持させて、安心して患者の身体の清浄や止血作業を行うことができるばかりか、キャップを外した管状針により患者を含めて医師や看護士が汚染される心配をしないで作業をすることができる翼状針の保持具を提供するものである。
【課題を解決するための手段】
【０００９】
上記目的を達成するためになされた本考案である翼状針の保持具は、点滴台の支柱へ止着するための止着部に、先端に管状針が突設されているとともに基端部に設けた供給チューブが連結される軸体に一対の羽根が蝶のように拡設された翼状針の前記一方の羽根部分を起てた状態でその両側面を挟持する一対の弾性挟持片とその下側に配置された前記羽根部分の外周端を支持するための支持部片とからなる翼状針の保持部が横方向に突設され、且つ前記保持部が前記止着部の軸線に対して所定の角度を有して配置されていることを特徴とする。
【００１０】
止着部を点滴台の支柱における所望の高さ位置に止着し、キャップを外した状態の翼状針の羽根を起てた状態で針先を上に向けて保持部に差し込むだけで、翼状針は羽根の両側面が一対の弾性挟持片により挟持されるとともに羽根の外周端の下端が前記弾性挟持片の下側に配置された支持部片に支持され、また、羽根を掴んでそのまま引き抜くことで離脱する。特に、保持部を止着部の軸線に対して所定の角度を有して配置することにより、本考案である止着具を点滴台の支柱における所望の高さ位置に止着したとき、先端に突設した管状針が、支柱の止着位置よりも上方に吊り下げられている薬液や血液を収納したバックなどの容器から垂下しているチューブに干渉することなく翼状針を保持させることができる。
【００１１】
また、本考案において、前記止着部と保持部とが適宜の弾性と剛性を有する硬質合成樹脂により一体的に形成されている場合には、例えば、射出成形などにより簡単且つ安価に製造することが可能であり、前記保持部を形成する前記保持部を形成する弾性挟持片とその下側に配置された支持部片との間に所定の空間が形成されており、この空間に前記翼状針の先端に配置される管状針のキャップを挟持可能とした場合には、取り外した管状針のキャップを紛失したり汚染したりすることなく保持しておけるので、作業の途中や終了時に容易にキャップを被冠することができ、特に、差込口を露出させた状態で保持させておけるので、キャップを手で保持することなく、管状針を差し込むことが可能であり、誤って指などに刺してしまう事故を防止することもできる。
【考案の効果】
【００１２】
以上、本考案によれば、輸液や輸血或いは採血などを行う際に、翼状針の先端に設けられている針先のキャップを外したまま状態で片手の操作で翼状針を簡単に且つ取り外しも容易に所望の高さ位置に確実にもう一方の手で止血しながらでも保持させることができ、その後は再度翼状針を掴んで抜き取るまでの間は安心して両手を用いて患者の身体の清浄や止血作業を行うことができる。また、キャップを再度嵌め直したり翼状針の部分を床に放置することも要しないので翼状針の差し込み操作が安全に行われ、安価に多量に製造して供給することができ耐久性にも優れているので経済的にも優れている。特に、先端に突設した管状針が、支柱の止着位置よりも上方に吊り下げられている薬液や血液を収納したバックなどの容器から垂下しているチューブに干渉することなく翼状針を保持させることができる。更に、取り外したキャップも保持させておくこともできる。
【考案を実施するための最良の形態】
【００１３】
次に、本考案の好ましい実施の形態を図面に基づいて詳細に説明する。
【００１４】
図１乃至図６は本考案の好ましい実施の形態を示すものであり、本考案である翼状針の保持具１は、例えば硬質のポリプロピレン樹脂のような適宜の弾性と剛性とを有する材料により射出成形などにより点滴台７の支柱７１へ止着するための止着部２とこの止着部２から横方向に突設している前記図７に示した翼状針６の保持部３とが一体的に形成されている。従って、製造が容易で安価に多量に生産することができる。
【００１５】
更に詳しく説明すると、前記止着部２は所定の内径（例えば使用する支柱の外径程度）を有していて一側に少なくとも内径よりも幅狭の開放部２１を有する平面がＣ形で適宜の厚さを有する半筒形を呈しているとともに開放部２１を形成する両開放端には円柱状の膨出部２２，２２が形成されている。
【００１６】
また、前記止着部２における外周面２３の前記開放部２１と対向する箇所には前記図６に示した翼状針６の保持部３が横方向に突設されており、この保持部３は翼状針６を挟持するための一対の弾性挟持片３１，３１とその下側に配置された前記翼状針６の羽根６５の外周端６６を支持するための支持部片４とから構成される。
【００１７】
特に、本実施の形態では、前記保持部３が軸線Ｌ１を前記止着部２の軸線Ｌ２に対して所定の角度（例えば４５度）を有して配置されているとともに、保持部３を形成する弾性挟持片３１とその下側に配置された支持部片４との間に所定の空間４１が形成されており、この空間４１は、前記図７に示した翼状針６の先端に配置される管状針６１のキャップ６６を弾性的に挟持可能とした間隔、即ち、キャップ６６の直径Ｄよりも僅かに狭く形成されている。
【００１８】
更に、本実施の形態では、弾性挟持片３１，３１は基端が一体化して前記止着部２における外周面２３に連設されており、先端側が互いに遊離していて対向面３２，３２が前記翼状針６の一方の羽根６５を起てた状態で両側面を挟持するものであり、特に、前記対向面３２，３２は平面において長さ方向の中央部に互いに接近するように（少なくとも使用する前記図７に示した翼状針６の羽根６５の厚さよりも接近させた状態）弓形に形成されて先端に向けて拡開しているとともに互いの対向面３２，３２の先端側と頂面側の端縁が傾斜面３３，３３，３４にそれぞれ形成されて上方に向けて拡開している。
【００１９】
また、前記支持部片４は、前記弾性挟持片３１，３１の下方に前記弾性挟持片３１，３１との間に空間４１を形成して前記弾性挟持片３１，３１とほぼ同等の長さで前記弾性挟持片３１，３１とほぼ平行に突設される。
【００２０】
以上の構成を有する本実施の形態である保持具１は、図５に示すように、前記止着部２の開放部２１を介して点滴台７に立設される支柱７１の所望の高さ位置に止着する。
【００２１】
このとき、止着部２が使用する支柱６１の外径よりも小径の場合には止着部２を開放部２１を介して横方向から挿入すると、止着部２自身が有する弾性により、更には開放部２１を形成する両開放端に設けた円柱状の膨出部２２，２２により支柱７１を押圧するのでそのまま所定の位置に止着させることができ、また、この押圧力に抗して止着部２を開放部２１を介して横方向に引き抜くことにより簡単に支柱７１から取り外すことができる。尚、止着部２の内径が支柱７１に対して大きくて差し込んだだけでは止着が困難な場合には、例えば、布や紙、或いはゴムや合成樹脂材など比較的摩擦係数が大きく柔軟で変形し易い材料で形成された隙間部材を止着部２と支柱７１との間に介在させればよい。
【００２２】
また、保持具１は医師や看護士など使用者の身長などに合わせて所望の高さ位置に止着することにより使い勝手がよく使用することができ、特に本実施の形態では前述の如く着脱操作が容易なので使用者各人に適した高さに止着させることができ、特に、前記図３に示したように保持部３が軸線Ｌ１を止着部２の軸線Ｌ２に対して所定の角度を有して配置されているので、支柱７１における止着部２の止着位置よりも上方に吊り下げられた薬液や血液を収納したバックなどの容器（図示せず）から垂下しているチューブ６３に干渉する心配がない。
【００２３】
そして、前記チューブ６３の先端に接続された翼状針６を保持させるのであるが、保持は、点滴容器や輸血容器を点滴台７の支柱７１にセットしたとき、次いで、キャップを外したとき、翼状針６を差し直すとき、更には点滴や輸血が終了したときなど手にした翼状針６を一旦どこかに置きたい場合のいずれのときにも保持させることができる。
【００２４】
本実施の形態では翼状針６の保持具１への保持は、図５に示すよう翼状針６を管状針６１が斜め上方に向くような状態で羽根６５，６５を起てた状態で一方の羽根６５を掴んでもう一方の羽根６５を、そのまま弾性挟持片３１，３１の対向面３２，３２に上方から横方までの任意の差し込み角度で差し込むだけで簡単且つ確実に保持される。
【００２５】
このとき、特に本実施の形態では、前記対向面３２，３２は平面において長さ方向の中央部に互いに接近するように弓形に形成されて先端に向けて拡開しているとともに互いの対向面３２，３２の先端側と頂面側の端縁が傾斜面３３，３３，３４にそれぞれ形成されて上方および前方である差し込み側に向けて拡開しているので、拡開した箇所に羽根６５を容易に差し込し込むことができるばかりか、弾性挟持片３１，３１は基端が閉成して止着部２に連続しているとともに下方に支持部片４が延設されているので差し込み位置を加減することなく羽根６５の外周縁が止着部２と支持部片４に当接して進行が停止するまで差し込めばよく、所定の保持位置に容易に保持させることが可能で、安定した保持状態を維持させることができ、抜き取る場合には、保持具１から突出している羽根６５を掴んでそのまま上方から横方向にわたる方向に引き抜けばよく、着脱がきわめて簡単である。
【００２６】
図６は、本考案の異なる使用例を示すものであり、前記図５に示した使用例と同様にして前記止着部２の開放部２１を介して点滴台７に立設される支柱７１の所望の高さ位置に止着する。そして、使用時に、前記図７に示した翼状針６の先端に被せてあるキャップ６６を外して、前記支持部片４と前記弾性挟持片３１，３１との間に形成される空間４１に、差し込んで保持させる。
【００２７】
このように、外したキャップ６６を空間４１に保持させておくことにより、外したキャップ６６の置き場所に困ることがなく紛失防止になるとともに、キャップ６６を確実に且つ汚染されることなく保持させておくことが可能であり、また、再び被冠させるときにはキャップ６６を手で掴むことなく保持させた状態のままで差し込み可能であり、誤って針先を指に刺すこと等によって生じる汚染の心配もなく、特に、使用後の翼状針の処理にもきわめて有効である。
【００２８】
勿論、図６に示したように、外したキャップ６６を空間４１に保持させた状態のままで、図５に示したように、翼状針６の一方の羽根６５を、そのまま弾性挟持片３１，３１の対向面３２，３２に上方から横方までの任意の差し込み角度で差し込んで保持させることも可能であり（図示せず）、キャップ６６を外して始まり、最後にキャップ６６を被冠させる一連の作業において、きわめて有効に使用することができる。
【００２９】
更に、本実施の形態は、弾性挟持片３１，３１と支持部片４との間に空間４１が形成されているので全体として凹部がなく、汚染物や塵埃などが溜まる心配がなく洗浄も容易でいつでも清潔に保つことができる。
【００３０】
更にまた、本実施の形態は、止着部２が顔で弾性挟持片３１，３１を長耳としたウサギの顔を連想させることから外観的にも美麗であるとともに親しみやすいという意匠的な効果も併有している。
【図面の簡単な説明】
【００３１】
【図１】本考案の好ましい実施の形態を示す斜視図。
【図２】図１に示した実施の形態を示す平面図。
【図３】図１に示した実施の形態を示す正面図。
【図４】図１のＡ−Ａ線に沿う断面図。
【図５】図１に示した実施の形態の使用状態を示す説明図。
【図６】図１に示した実施の形態の異なる使用状態を示す説明図。
【図７】翼状針の説明図。
【符号の説明】
【００３２】
１  保持具、２  止着部、４  支持部片、６  翼状針、３１，３１  弾性挟持片、３２，３２  対向面、３３，３３，３４  傾斜面、４１  空間、６５  羽根、７１  点滴台、７１  支柱
【図１】
0003120181.tif 000003
【図２】
0003120181.tif 000004
【図３】
0003120181.tif 000005
【図４】
0003120181.tif 000006
【図５】
0003120181.tif 000007
【図６】
0003120181.tif 000008
【図７】
0003120181.tif 000009